(57)【要約】【課題】郵便用として認定された切手シートに、顧客が希望する広告の掲載に対し、広告料を換算したコスト面において使いやすい広告付き切手シート、その発行方法及びその発行システムを提供する。【解決手段】顧客から、切手シートに、広告掲載の受注の入力を受け付ける通信手段と、通信手段で受信した広告受注に対して、発行者が用意した切手シートの切手主領域と１つ又は複数の切手余白領域の配置を示した切手配置フレームの基本料金、切手料額、広告料金をデータ記憶部に記憶するデータ記憶部と、顧客が選択した切手配置フレームに、少なくとも１つのメッセージ及び広告の少なくとも１つを掲載する基本料金、料額及び枚数に基づいて、広告入り切手シートの価格の変動を演算し、課金を算出するデータ処理部と、算出された広告掲載料金を表示する表示部と、表示された広告入り切手シートを印刷する出力部とを有する広告入り切手シートの発行システム。【選択図】      図７
2005010256.tif 000002
【特許請求の範囲】
【請求項１】
シート表面に、切手の機能を果たす少なくとも１つの切手主領域と、少なくとも１つのメッセージ及び／又は広告の少なくとも１つが掲載される前記少なくとも１つの切手主領域以外の余白又はその余白部を複数区分けした１つ又は複数の切手余白領域とを有することを特徴とする広告入り切手シート。
【請求項２】
前記広告入り切手シートの少なくとも１つの切手主領域が、切手料額のみの印刷部と、余白部とを有し、前記余白部に前記少なくとも１つのメッセージ及び／又は広告の少なくとも１つが掲載されてなることを特徴とする請求項１記載の広告入り切手シート。
【請求項３】
前記切手の機能を果たす少なくとも１つの切手主領域と、前記１つ又は複数の切手余白領域とを分離するミシン目を形成したことを特徴とする請求項１又は２記載の広告入り切手シート。
【請求項４】
シート表面に、切手の機能を果たす少なくとも１つの切手主領域と、少なくとも１つのメッセージ及び／又は広告の少なくとも１つが掲載される前記少なくとも１つの切手主領域以外の余白又はその余白部を複数区分けした１つ又は複数の切手余白領域とを有する広告入り切手シートの発行方法において、
顧客から前記切手シート及びそれに掲載するメッセージ及び／又は広告を受注し、前記顧客からの受注に基づき、前記切手シートの少なくとも１つの切手主領域と前記１つ又は複数の切手余白領域を示した切手配置フレーム、及びその基本料金並びに前記切手配置フレームに前記広告を掲載する広告掲載料金をデータ記憶部に記憶し、
前記記憶部に記憶された切手配置フレームから、前記顧客が選択した切手配置フレームに、前記少なくとも１つのメッセージ及び／又は広告の少なくとも１つを掲載し、
前記切手配置フレームの基本料金、切手両額及び枚数に基づいて、前記切手配置フレームの各々の面積及び部位並びに掲載する前記広告掲載の内容に応じて広告入り切手シート価格の変動を演算すると共に、前記広告入り切手シートの発行に対する課金をデータ処理部で算出し、
前記顧客の指定した広告入り切手シート及びその広告掲載の料金を表示部により表示し、
前記表示された広告入り切手シートを、出力部において印刷することを特徴とする広告入り切手シートの発行方法。
【請求項５】
前記広告入り切手シートに掲載する前記少なくとも１つのメッセージ及び／又は広告を出力する出力部での印刷が、オンデマンド印刷による可変印刷が可能であることを特徴とする請求項４記載の広告入り切手シートの発行方法。
【請求項６】
前記広告入り切手シートの発行方法において、前記広告入り切手シートを出力部で印刷後、切手の機能を果たす少なくとも１つの切手主領域と、前記１つ又は複数の切手余白領域とを分離するミシン目を施すことを特徴とする請求項４又は５記載の広告入り切手シートの発行方法。
【請求項７】
シート表面に、切手の機能を果たす少なくとも１つの切手主領域と、少なくとも１つのメッセージ及び／又は広告の少なくとも１つが掲載される前記少なくとも１つの切手主領域以外の余白又はその余白部を複数区分けした１つ又は複数の切手余白領域とを有する広告入り切手シートの発行システムにおいて、
顧客から前記切手シート及びそれに掲載するメッセージ及び／又は広告を受注する通信手段と、
前記通信手段で受信した顧客からの前記広告掲載の受注に基づき、前記切手シートの少なくとも１つの切手主領域と前記１つ又は複数の切手余白領域の配置を示した切手配置フレーム、その基本料金及び前記切手配置フレームに前記広告掲載をする広告掲載の料金をデータ記憶部に記憶するデータ記憶部と、
前記記憶部に記憶された切手配置フレームから、前記顧客が選択した前記切手配置フレームに、前記少なくとも１つのメッセージ及び／又は広告の少なくとも１つを掲載し、前記切手配置フレームの基本料金、切手両額及び枚数に基づいて、前記切手配置フレームの各々の面積及び部位並びに掲載する前記広告掲載の内容に応じて広告入り切手シート価格の変動を演算すると共に、前記広告入り切手シートの発行に対する課金を算出するデータ処理部と、
前記顧客の指定した広告入り切手シート及びその広告掲載の料金を表示する表示部と、
前記表示された広告入り切手シートを印刷する出力部とを備えたことを特徴とする広告入り切手シートの発行システム。
【請求項８】
前記広告入り切手シートに掲載する前記少なくとも１つのメッセージ及び／又は広告を出力する出力部での印刷が、オンデマンド印刷による可変印刷が可能であることを特徴とする請求項６記載の広告入り切手シートの発行システム。
【請求項９】
前記広告入り切手シートの発行システムにおいて、前記広告入り切手シートを出力部で印刷後、切手の機能を果たす少なくとも１つの切手主領域と、前記１つ又は複数の切手余白領域とを分離するミシン目を施す穿孔部を有することを特徴とする請求項６又は７記載の広告入り切手シートの発行システム。
【発明の詳細な説明】
【０００１】
【発明の属する技術分野】
本発明は、郵便用として認定された切手シートの切手とその余白部分に、通信回線を通して、郵便局又はそれ以外の場所からでも、郵便局の認証によって、広告主が希望する広告の掲載と、広告料を換算した切手料金の設定と課金の算出を可能とした広告入り切手シート、広告入り切手シートの発行方法及びその発行システムに関するものである。
【０００２】
【従来の技術】
従来の広告付き切手シートについては、１枚１枚の切手に余白部分を設定し、その余白部分に広告文を載せることが記載されている（例えば、特許文献１参照。）。また、郵便切手に分離可能な割引券や広告表示機能を有する広告表示部を構成し、必要に応じて郵便切手と広告表示部とを切り離して利用することが記載されている（例えば、特許文献２参照。）。また、切手シートを購入後に、切手シートの切手を除く部分に切手の図柄と関連する広告を印刷により表示、又は凹凸加工によって広告を設けること、及び電機通信回線を介する広告提示方法が記載されている（例えば、特許文献３参照）。
【０００３】
これらの公知文献から、広告が表示されていない切手シートに広告等を表示することにより、依頼主又は企業の宣伝効果を持たせた切手シートが発行でき、また切手シートの白紙部分及び余白部分に複数の広告等を入れ込むことにより、本来の切手の値段を広告料収入に応じて額面より低額で販売可能とするなどが期待できる。
【０００４】
【特許文献１】
特開２０００−３３８８７６号公報（第１−３頁、第２図）
【特許文献２】
特開平８−２２２４９号公報（第１頁ー５頁、第１−５図）
【特許文献３】
特開２００２−１０８２１５号公報（第１−８頁、第１図）
【０００５】
【発明が解決しようとする課題】
しかし、従来の広告付き切手は、切手製造（発行）時点で、あらかじめ広告又はメッセージを設ける必要があるため、発行に時間がかかり、汎用性が少なく、個人事業主や一般の者が参入することは困難であった。また、広告も１種類しか入れられず、１つの企業で複数の製品の広告を入れたり、複数の企業（または一般の広告主）が同時に複数の広告で表示できる媒体としての機能を果たし得なかった。
【０００６】
本発明は、上記課題を解決するために、郵便局の窓口は勿論のこと、個人、企業及び地方自治体等が直接事業所、会社あるいは個人の端末により切手シートへの広告掲載に参入できるように、郵便用として認定された切手の料額や図柄が設けられた切手シートに、又は郵便局より通信回線を通して送られた郵便用として認定された切手の料額や図柄が設けられた切手シートに、郵便局は勿論のこと、郵便局以外の場所からでも、郵便局の認証によって、短時間に、依頼主が希望する広告の掲載とその編集操作が容易に行え、同時に広告料を換算した切手料金の設定と課金の算出を可能とする広告付き切手シート、広告付き切手シートの発行方法及びその発行システムを提供することを目的とする。
【０００７】
【課題を解決するための手段】
本発明は、郵便用として認定された切手の料額や図柄が設けられた切手シートに、郵便局は勿論のこと、郵便局以外の場所からでも、郵便局の認証によって、短時間に、広告主が希望する広告の掲載が容易に行え、同時に広告料を換算した切手料金の設定と課金の算出を可能とする広告付き切手シートを提供することを目的としてなされたものであり、シート表面に、切手を構成する少なくとも１つの切手主領域を有し、少なくとも１つの切手主領域以外の余白部又はその余白部を複数区分けした１つ又は複数の切手余白領域を有する切手シートに、少なくとも１つのメッセージ及び広告の少なくとも１つが掲載される広告入り切手シートにおいて、顧客から切手シートに広告掲載をする広告掲載の受注に基づき、あらかじめ記憶された切手シートの少なくとも１つの切手主領域と前記１つ又は複数の切手余白領域の配置を示した切手配置フレーム、その基本料金及び切手配置フレームに広告掲載をする広告掲載の料金から、顧客が選択した切手配置フレームに、少なくとも１つのメッセージ及び広告の少なくとも１つを掲載し、切手配置フレームの基本料金及びその広告掲載の料金に基づき、切手配置フレームに掲載する広告掲載の内容に応じた広告入り切手シート価格の変動の演算と共に、広告入り切手シートの発行に対する課金の算出を可能とした少なくとも１つのメッセージ及び広告の少なくとも１つを切手シートに印刷により掲載してなる広告入り切手シートである。
【０００８】
また、本発明の広告入り切手シートの少なくとも１つの切手主領域が、切手料額のみの印刷部と、白紙部とを有し、白紙部に前記少なくとも１つのメッセージ及び広告の少なくとも１つが掲載されている。
【０００９】
また、本発明の広告入り切手シートにおいて、少なくとも１つのメッセージ及び広告の少なくとも１つを印刷後、少なくとも１つの切手主領域と、１つ又は複数の切手余白領域とを分離するミシン目を形成している。
【００１０】
次に、本発明の広告入り切手シートの発行方法は、シート表面に、切手を構成する少なくとも１つの切手主領域を有し、少なくとも１つの切手主領域以外の余白部又はその余白部を複数区分けした１つ又は複数の切手余白領域を有する切手シートに、少なくとも１つのメッセージ及び広告の少なくとも１つが掲載される広告入り切手シートの発行方法において、顧客から前記切手シート及びそれに前記広告掲載をする広告掲載の注文を受け付け、顧客からの広告掲載の受注に基づき、切手シートの少なくとも１つの切手主領域と１つ又は複数の切手余白領域の配置を示した切手配置フレーム、その基本料金及び切手配置フレームに広告掲載をする広告掲載の料金をデータ記憶部に記憶し、記憶部に記憶された切手配置フレームから、顧客が選択した切手配置フレームに、少なくとも１つのメッセージ及び広告の少なくとも１つを掲載し、切手配置フレームの基本料金、切手料額及び枚数に基づいて、切手配置フレームに掲載する広告掲載の内容に応じて広告入り切手シート価格の変動を演算すると共に、広告入り切手シートの発行に対する課金をデータ処理部で算出し、顧客の指定した広告入り切手シート及びその広告掲載の料金を表示部により表示し、表示された広告入り切手シートを、出力部において印刷することによりなされる。
【００１１】
また、本発明の広告入り切手シートの発行方法において、広告入り切手シートの少なくとも１つの切手主領域が、切手料額のみの印刷部と、白紙部とを有し、白紙部に少なくとも１つのメッセージ及び広告の少なくとも１つが掲載されている。
【００１２】
また、本発明の広告入り切手シートの発行方法において、切手シートの少なくとも１つの切手主領域及び１つ又は複数の切手余白領域を有する切手シート内、並びに切手シート毎の少なくとも１つに、少なくとも１つのメッセージ及び広告の少なくとも１つを出力する出力部での印刷が、オンデマンド印刷による可変印刷が可能である。
【００１３】
また、本発明の広告入り切手シートの発行方法において、切手シートの１つ又は複数の切手余白領域を有する切手シート内、並びに切手シート毎の少なくとも１つに、少なくとも１つのメッセージ及び広告の少なくとも１つを出力する出力部での印刷が、オンデマンド印刷による可変印刷が可能である。
【００１４】
また、本発明の広告入り切手シートの発行方法において、顧客の選択する切手配置フレームに、少なくとも１つのメッセージ及び広告の少なくとも１つを掲載する広告入り切手シートの価格が、切手配置フレームの各々の面積及び部位に応じて各々異なる広告掲載の料金を課金することができる。
【００１５】
また、本発明の広告入り切手シートの発行方法において、少なくとも１つのメッセージ及び広告の少なくとも１つを印刷後、少なくとも１つの切手主領域と、１つ又は複数の切手余白領域とを分離する穿孔を施すことができる。
【００１６】
次に、本発明のシート表面に、切手を構成する少なくとも１つの切手主領域を有し、前記少なくとも１つの切手主領域以外の余白部又はその余白部を複数区分けした１つ又は複数の切手余白領域を有する切手シートに、少なくとも１つのメッセージ及び広告の少なくとも１つを掲載する広告入り切手シートの発行システムにおいて、
顧客から切手シート及びそれに広告掲載をする広告掲載の受注の入力を受け付ける通信手段と、
通信手段で受信した顧客からの広告掲載の受注に基づき、切手シートの少なくとも１つの切手主領域と前記１つ又は複数の切手余白領域の配置を示した切手配置フレーム、その基本料金及び切手配置フレームに広告掲載をする広告掲載の料金をデータ記憶部に記憶するデータ記憶部と、
記憶部に記憶された切手配置フレームから、顧客が選択した切手配置フレームに、少なくとも１つのメッセージ及び広告の少なくとも１つを掲載し、切手配置フレームの基本料金、切手料額及び枚数に基づいて、切手配置フレームに掲載する広告掲載の内容に応じて広告入り切手シート価格の変動を演算すると共に、広告入り切手シートの発行に対する課金を算出するデータ処理部と、
顧客の指定した広告入り切手シート及びその広告掲載の料金を表示する表示部と、
表示された広告入り切手シートを印刷する出力部とを備えたことを特徴とする広告入り切手シートの発行システムである。
【００１７】
また、本発明の広告入り切手シートの発行システムにおいて、広告入り切手シートの少なくとも１つの切手主領域が、切手料額のみの印刷部と、白紙部とを有し、白紙部に前記少なくとも１つのメッセージ及び広告の少なくとも１つが掲載されている。
【００１８】
また、本発明の広告入り切手シートの発行システムにおいて、切手シートの少なくとも１つの切手主領域及び１つ又は複数の切手余白領域の少なくとも１つを有する切手シート内、並びに切手シート毎の少なくとも１つに、少なくとも１つのメッセージ及び広告の少なくとも１つを出力する出力部での印刷が、オンデマンド印刷による可変印刷が可能である。
【００１９】
また、本発明の広告入り切手シートの発行システムにおいて、切手シートの１つ又は複数の切手余白領域の少なくとも１つを有する切手シート内、並びに切手シート毎の少なくとも１つに、少なくとも１つのメッセージ及び広告の少なくとも１つを出力する出力部での印刷が、オンデマンド印刷による可変印刷が可能である。
【００２０】
また、本発明の広告入り切手シートの発行システムにおいて、顧客の選択する切手配置フレームに、少なくとも１つのメッセージ及び広告の少なくとも１つを掲載する広告入り切手シートの価格が、切手配置フレームの各々の面積及び部位に応じて、各々異なる広告掲載の料金を課金することができる。
【００２１】
また、本発明の広告入り切手シートの発行システムにおいて、広告入り切手シートを出力部で印刷後、切手シートの少なくとも１つの切手主領域と１つ又は複数の切手余白領域とを分離するミシン目を施す穿孔部を有している。
【００２２】
発明者は、これらの方式をＣＩＳＳ（Ｃｏｍｍｅｒｃｉａｌ−Ｉｎ−Ｓｔａｍｐｓ−Ｓｅｒｖｉｃｅ）方式と名付けた。このＣＩＳＳ方式の広告入り切手シート発行システムにより目的を達成しようとするものである。
【００２３】
【発明の実施の形態】
本発明の実施の形態を図面に基づき説明する。図１は、本発明の切手シート（１）の実施形態の一例を示したものである。シート表面（２）の切手シート（１）の任意の個所に、切手を構成する少なくとも１つの切手主領域（３１ａ）、（３１ｂ）、（３１ｃ）を、切手全体を印刷した切手（Ｐ１１）、（Ｐ１２）、（Ｐ１３）に設けてあり、切手シート（１）の切手主領域（３１ａ）、（３１ｂ）、（３１ｃ）を除いた余白部分を、例えば３つの領域、上方領域（Ａ）、中央領域（Ｂ）、下方領域（Ｃ）に３分割し、それぞれの領域にメッセージ及び広告の少なくとも１つを入れられるようにする。なお、余白部分を３分割した各領域は、各々の面積や広告効果の違い（例えば切手シートの上方領域（Ａ）より中央領域（Ｂ）の方が目立つため広告効果が高い）により掲載料金に差をつけることができる。
【００２４】
なお、切手シート上の切手（Ｐ１１）、（Ｐ１２）、（Ｐ１３）の配置についても、図２に示す切手配置フレーム（３）ように、広告主の注文に応じて各種の横配置型（ａ）、縦配置型（ｂ）等、幾通りかのサンプルを提示し、その都度変更できるようにしてもよい。
【００２５】
また、図１の切手シートの切手を構成する少なくとも１つの切手主領域を有する切手が、図３に示す切手配置フレーム（３）のように、印刷された切手の切手料額のみが印刷された少なくとも１つの切手主領域（３１ａ）、（３１ｂ）、（３１ｃ）を示す切手（Ｐ２１）、（Ｐ２２）、（Ｐ２３）の印刷部（３３ａ）、（３３ｂ）、（３３ｃ）と、白紙部（３４ａ）、（３４ｂ）、（３４ｃ）とを有する切手でもよく、切手の白紙部（３４ａ）、（３４ｂ）、（３４ｃ）が存在する領域も、メッセージや広告を表示するスペースとして利用してもよい。その際は、切手（Ｐ２１）、（Ｐ２２）、（Ｐ２３）は、周囲に通常の目打ちを施した切手でなく、シール型の切手とし、後から印刷するメッセージや広告が、目打ちによって途切れたり、デザイン上の制約を受けないようにすることもできる。
【００２６】
顧客に提示される切手シートは、原則的には、切手主領域を除いた領域を白紙のスペースとしたものであるが、切手主領域自体を郵便局が認可した白紙切手としたサンプルも用意されている。なお、提示の方法としては、インターネット等の電子通信媒体を利用してもよいし、営業マンによる手渡しでもかまわない。
【００２７】
本発明の広告入り切手シート（１）の実施の形態を、図１、図２及び図３を基に説明する。シート表面（２）に、切手シート（１）の切手（Ｐ２１）、（Ｐ２２）、（Ｐ２３）を構成する少なくとも１つの切手主領域（３１ａ）、（３１ｂ）、（３１ｃ）を有し、切手シート（１）の少なくとも１つの切手主領域以外の余白部又はその余白部を複数区分けした１つ又は複数の切手余白領域（３Ａ）、（３Ｂ）、（３Ｃ）を有する切手シート（１）に、少なくとも１つのメッセージ及び広告の少なくとも１つが掲載される広告入り切手シート（１）において、顧客から切手シート（１）に広告掲載をする広告掲載の受注に基づき、あらかじめ記憶された切手シート（１）の少なくとも１つの切手主領域（３１ａ）、（３１ｂ）、（３１ｃ）と１つ又は複数の切手余白領域の配置を示した切手配置フレーム（３）、その基本料金及び前記切手配置フレーム（３）に広告掲載をする広告掲載の料金に基づき、切手配置フレーム（３）に掲載する広告掲載の内容に応じた広告入り切手シート価格の変動の演算と共に、広告入り切手シートの発行に対する課金の算出を可能とした少なくとも１つのメッセージ及び広告の少なくとも１つを切手シート（１）に印刷により掲載してなる広告入り切手シートである。
【００２８】
本発明では、広告入り切手シートにおいて、印刷された切手の少なくとも１つの切手主領域（３１ａ）、（３１ｂ）、（３１ｃ）が、切手料額及び模様全体が印刷された切手（Ｐ１１）、（Ｐ１２）、（Ｐ１３）からなる切手シートと、少なくとも１つの切手主領域（３１ａ）、（３１ｂ）、（３１ｃ）が、切手料額のみの印刷部（３３ａ）、（３３ｂ）、（３３ｃ）及び白紙部（３４ａ）、（３４ｂ）、（３４ｃ）とを有する切手シートがあり、後者の少なくとも１つの切手主領域の切手料額のみ印刷した白紙部を有する切手シートにおいて、メッセージ及び広告の少なくとも１つを掲載する広告入り切手シートである。
【００２９】
次に、本発明の広告入り切手シートの発行方法を、図４を基に説明する。なお、図６に、本発明に使用するするサーバシステム及びクライアントシステムに共通のハードウエア構成を示す。データ制御部４１に入力部４２、表示部４３、データ記憶部４４及び通信手段４５が接続されている。
【００３０】
シート表面（２）に、切手を構成する少なくとも１つの切手主領域を有し、少なくとも１つの切手主領域以外の余白部又はその余白部を複数区分けした１つ又は複数の切手余白領域を有する切手シートに、少なくとも１つのメッセージ及び広告の少なくとも１つが掲載される広告入り切手シートの発行方法において、発行者の切手シートへの広告掲載の案内により、顧客から切手シート広告掲載の要求に対し（Ｓ１）、発行者は、切手シート（１）及びそれの広告掲載の注文を受け付け（Ｓ２）、顧客からの広告掲載の受注に基づく認証手続きにより（Ｓ３）、画像処理ソフトウエア入力画面と、切手シート（１）の少なくとも１つの切手主領域（３２ａ）、（３２ｂ）、（３２ｃ）と１つ又は複数の切手余白領域の配置を示した切手配置フレーム、その基本料金及び切手配置フレームに広告掲載をする広告掲載の料金をデータ記憶部に記憶し、記憶部から読み出された画像処理ソフトウエア入力画面及び切手配置フレーム画面を表示し（Ｓ４）、顧客が切手配置フレームの選択とメッセージ及び広告の少なくとも１つを提示し（Ｓ５）、顧客が選択した切手配置フレームに、少なくとも１つのメッセージ及び広告の少なくとも１つを掲載し（Ｓ６）、切手配置フレームの基本料金、切手料額及び枚数に基づいて、切手配置フレームに掲載する広告掲載の内容に応じて広告入り切手シート価格の変動を演算すると共に、広告入り切手シートの発行に対する課金をデータ処理部で算出し（Ｓ７）、顧客の指定した広告入り切手シート及びその広告掲載の料金を表示部により表示し（Ｓ８）、発行者による表示画面により、発行可否の手続きを行い（Ｓ９）、表示された広告入り切手シートを、出力部において印刷し（Ｓ１０）、広告入り切手シートを顧客に引き渡し（Ｓ１１）、課金手続きを行う（Ｓ１３）、広告入り切手シートの発行方法である。
【００３１】
ここで、広告を印刷する前の切手シートに、切手本体を切り離す穿孔が施されていれば、顧客に広告入り切手シートを引き渡し（Ｓ１２）、発行者は、課金手続き（Ｓ１３）を行う。この穿孔が施されていなければ、広告入り切手シートを印刷（Ｓ１０）後、少なくとも１つの切手主領域と１つ又は複数の切手余白領域とを分離する穿孔を行い（Ｓ１１）、顧客に広告入り切手シートを引き渡し（Ｓ１２）、課金手続きを行う（Ｓ１３）。
【００３２】
なお、広告入り切手シートを出力部において印刷する場合、郵便局等の切手シート発行所に配置されるプリンタ等でオンデマンド印刷を行う場合と、切手シート製造時に製造元で同時印刷を行う場合とを選択することが可能である。
【００３３】
製造（発行）元では、顧客側から選択、決定された内容に対応した料金提示を行い、顧客側は提示された料金に対し、受諾又は不受諾を選択し、解答する。不受諾の場合は、戻って選択をやり直すが、処理を中止したとしてもかまわない。
【００３４】
顧客側から最終的な受諾を得た段階で、製造（発行）元では切手シートに掲載するメッセージ又は広告の画像データを作成する。その画像データは、製造（発行者）元で作成（自ら作成、外部に委託、いずれも可）とする場合と、顧客が作成した画像データをそのまま使用（多少の加工をする場合もある）してもよい。
【００３５】
製造（発行）元で行う画像データを掲載した切手シートの作成については、たいていの場合、発行数量（製造枚数）が多い場合は、製造（発行）元直轄の印刷工場等で製造し、作成された切手シートは、発行所（例えば郵便局等）を通じて顧客に納入される。また、製造数量が少ない場合等顧客がオンデマンド印刷を選択した場合は、製造（発行）元は、作成した画像データを発行所（例えば郵便局等）の印刷装置（プリンタ等）に送り、顧客は、その場で印刷された切手シートを手にすることができる。
【００３６】
以下に、本発明の広告入り切手シートの発行システムを、図５、図６及び図７に基づいて説明する。図５はシステムの全体構成図である。本システムは、インターネット等の通信ネットワーク１０に、サーバシステム２０と任意数のクライアントシステムを接続して構成される。
【００３７】
図６は、サーバシステム２０、クライアントシステム３０に共通のハードウエア構成を示す。データ処理部４１、入力部４２、表示部４３、データ記憶部４４、通信部４５が接続されている。入力部４２はキーボードやマウス等の情報入力装置である。表示部４３は、ＣＲＴディスプレイなどの表示装置である。データ記憶部４４は、ＲＡＭ、ＲＯＭ、ＨＤＤ等の記憶装置である。通信部４５は、ネットワーク接続装置である。
【００３８】
次に、図７により本発明の発行システムの動作を説明する。本発明は、顧客が提示する広告の掲載内容に応じて、切手配置フレームの選択では、切手位置のフレーム選択、メッセージ又は広告を入れる領域選択、メッセージ又は広告の掲載方法を選択する。なお、掲載方法では、予め印刷されているサンプルを使用する場合、顧客側が提示する内容を印刷する、いわゆるオーダーメイドする場合とが選択可能である。画像処理ソフトウエアの利用により広告入り切手シートの画像をコンピュータのＣＲＴ上に作成し表示し、その課金の算定を行うものである。当該画像処理ソフトウエアは、サーバシステム２０に格納されている。以下の動作は、サーバシステム２０、クライアントシステム３０双方のデータ処理部がプログラムを処理することにより実現される。
【００３９】
サーバシステム２０の切手発行者、例えば郵便局は、切手シートの広告掲載の受注の案内表示を行う（Ｓ１１）。クライアントシステム３０の顧客、例えば顧客である会社、官庁、地方自治体、団体及び個人等は、入力部４２を操作し、サーバシステム２０に対し、切手シートへの広告掲載の接続要求を送信する（Ｓ１２）。接続要求を受けたサーバシステム２０はデータ記憶部４４から認証画面データを読み出し、クライアントシステム３０に送信する（Ｓ１３）。クライアントシステム３０は、受信データに基づいて認証画面を表示部に表示する。顧客は、切手発行者から予め付与されている会社ＩＤと会社パスワードを認証画面に入力し、送信する（Ｓ１４）。会社ＩＤと会社パスワードを受信したサーバシステム２０は、データ記憶部４４に格納されたデータベースを参照し、受信した会社ＩＤ及び会社パスワードが予め登録されているか判断し認証する（Ｓ１５）。認証した場合、サーバシステムがデータ記憶部４４に記憶した画像処理ソフトウエア入力画面と、切手配置フレームの基本料金、広告料金を、データ記憶部から読み出し表示し（Ｓ２１）、この画像処理処理ソフトウエア入力画面及び切手配置フレーム画面をクライアントシステム３０に送信する（Ｓ２２）。クライアントシステム３０は、画像処理ソフトウエア画面及び切手配置フレーム画面を表示部４３に表示する。顧客は、入力部４２を操作し、登録画面の入力欄に、切手の種類、枚数、指定した切手配置フレーム、顧客が希望するメッセージ及び広告の少なくとも１つを切手配置フレームに入力し、送信する（Ｓ２３）。
【００４０】
この情報を受信したサーバシステム２０は、顧客の指定内容に基づいて広告入り切手シート画像を作成し（Ｓ２４）、切手配置フレームの基本料金、切手料額及び枚数に基づいて、切手配置フレームに掲載する広告の掲載内容に応じて広告入り切手シートの価格の変動を演算すると共に、広告入り切手シート発行に対する課金を算出し、作成した広告入り切手シート画像の表示画面及びその課金表示画面を送信する（Ｓ２５）。受信したクライアントシステム３０では、顧客の希望する広告画像が作成されていれば、発注を送信する（Ｓ２６）。サーバシステム２０は、データ記憶部４４に顧客が発注した単位期間又は一定期間の広告入り切手シート画像、料金、枚数及び課金データを記憶し、発行手続きを行い（Ｓ３１）、データ記憶部４４に格納された広告入り切手シート画像を呼び出し、印刷機又はカラープリンターで広告入り切手シートの印刷を行う（Ｓ３２）。なお、ここでいう単位期間とは、例えば顧客の発注の都度又は１日等の課金の最小単位となる期間をいい、一定期間とは、例えば１か月等の単位期間よりも長い期間である。
【００４１】
ここで、広告を印刷する前の切手シートに、切手本体を切り離す穿孔が施されていれば、発行者は、顧客に広告入り切手シートを引き渡し（Ｓ４１）、課金手続きを行う（Ｓ４２）。この穿孔が施されていなければ、広告入り切手シートの印刷（Ｓ３２）後、広告入り切手シートの穿孔を行い（Ｓ３３）、顧客に広告入り切手シートを引き渡す（Ｓ４１）。最後に課金手続きを行い（Ｓ４２）、一連のプロセスを終了する。
【００４２】
次に、本発明の広告入り切手シートの発行システムの他の実施形態を図８に基づき説明する。システムの全体の構成は、前述の実施形態で示した図６と同一で、サーバシステム２０、クライアントシステム３０に共通のハードウエア構成を示す。画像処理ソフトウエアが、クライアントシステム３０のデータ記憶部４４にインストールされていることを想定しているが、本実施形態において、広告入り切手シート画像の作成をクライアントシステム側で作成する点が異なっている。また、図８において、Ｓ１１〜Ｓ１５の処理は、図７の実施形態と同一のため、重複説明を省略する。なお、ここで使用する画像処理ソフトウエアは、サーバシステムに用意されているが、これ以外の自分が使用する画像処理ソフトウエアで作成した画像を入力してもよい。
【００４３】
本実施形態において、サーバシステム２０が顧客を認証した（Ｓ１５）後、発行者がデータ記憶部４４に記憶した画像処理ソフトウエア入力画面と、切手配置フレームとその基本料金、広告料金の画面をデータ記憶部４４から読み出し表示（Ｓ２１）し、これらの表示画面をクライアントシステム３０に送信する（Ｓ２２）。クライアントシステム３０は、インストールされた画像処理ソフトウエアの入力画面及び切手配置フレーム画面を表示部４３に表示する（Ｓ２３）。顧客は、入力部４２を操作し、登録画面の入力欄に、切手の種類、枚数、指定した切手配置フレーム、顧客が希望したメッセージ及び広告の少なくとも１つを切手配置フレームに入力し（Ｓ２４）、顧客の指定内容に基づいて広告入り切手シート画像を作成する（Ｓ２５）。作成された広告入り切手シート画像の表示画面をサーバシステム２０に送信する（Ｓ２６）。
【００４４】
この情報を受信したサーバシステム２０は、顧客の指定内容に基づいて広告入り切手シート画像を表示し、切手配置フレームの基本料金、切手料額及び枚数に基づいて、切手配置フレームに掲載する広告の掲載内容に応じて広告入り切手シートの価格の変動を演算すると共に、広告入り切手シート発行に対する課金を算出し、広告入り切手シート画像の表示画面及びその課金表示画面をクライアントシステム３０に送信する（Ｓ２７）。
【００４５】
受信したクライアントシステム３０では、顧客が希望する広告画像の可否を判断し、発行者に発注を送信する（Ｓ２８）。サーバシステム２０は、データ記憶部４４に顧客が発注した単位期間又は一定期間の広告入り切手シート画像、料金、枚数及び課金データを記憶し、発行手続きをし（Ｓ３１）、データ記憶部４４に格納された広告入り切手シート画像を呼び出し、印刷機又はカラープリンターで広告入り切手シートの印刷を行う（Ｓ３２）。
【００４６】
ここで、広告を印刷する前の切手シートに、切手本体を切り離す穿孔が施されていれば、発行者は、顧客に広告入り切手シートを引き渡し（Ｓ４１）、課金手続きを行う（Ｓ４２）。この穿孔が施されていなければ、広告入り切手シートの印刷（Ｓ３２）後、広告入り切手シートの穿孔を行い（Ｓ３３）、顧客に広告入り切手シートを引き渡す（Ｓ４１）。最後に課金決済を行い（Ｓ４２）、一連のプロセスを終了する。
【００４７】
【発明の効果】
本発明の広告入り切手シートの発行方法及びその発行システムは、本来の郵便切手シートに広告等を表示するために印刷加工しても、通信回線を通じて短時間に発行でき、広告主が希望する広告を必要なとき、必要数量を即時に作成して課金の算出を可能とした広告入り切手シートを作成して購入することができる。しかも、この発行システムによる広告入り切手シートは、切手シートの余白部分に複数の広告等を入れ込むことにより、世間の注目度が高く、宣伝効果が高まり、また複数の広告主からの要望を１つの切手に同時に掲載が可能となり、本来の切手の値段を広告料収入に応じて下げることができるため、切手シート自体の汎用性が高くなる。更に、この発行システムでは、通信回線を通じて、官公庁、企業、事業所、個人等のだれもが参入し、利用することができ、各企業から、宣伝効果を持たせた切手シートが発行でき、特に白紙切手タイプを選択すれば、切手自体を含めた切手シート全体で企業のトータルイメージを表現することができ、郵便を使用する広告主の切手を媒体とした宣伝の普及効果に寄与でき、しかも、広告料を換算した切手料金の設定と、一定期間又は利用の都度に応じた課金を算出することもできるので、広告主にとって利便性の高い効果が得られる。
【図面の簡単な説明】
【図１】切手が全体印刷された切手シートを示す図である。
【図２】各種の切手配置フレームを示す図である
【図３】切手料額のみが印刷された切手シートを示す図である。
【図４】広告入り切手シートの発行方法のフローを示す図である。
【図５】本発明システムの全体構成を示すブロック図である
【図６】サーバシステム、クライアントシステムの構成を示すブロック図である。
【図７】広告入り切手シート発行システムの一つのフローチャートを示す図である。
【図８】広告入り切手シート発行システムの他のフローチャートを示す図である。
【符号の説明】
１  切手シート
２  シート表面
３  切手配置フレーム
３Ａ、３Ｂ、３Ｃ  切手余白領域
Ｐ１１、Ｐ１２、Ｐ１３  切手全体が印刷された切手
３１ａ、３１ｂ、３１ｃ  印刷された切手の切手主領域
Ｐ２１、Ｐ２２、Ｐ２３  切手料額のみが印刷された切手
３３ａ、３３ｂ、３３ｃ  切手料額のみが印刷された切手の印刷部
３４ａ、３４ｂ、３４ｃ  切手料額のみが印刷された切手の白紙部
１０  通信ネットワーク
２０  サーバシステム
３０  クライアントシステム
４１  データ処理部
４２  入力部
４３  表示部
４４  データ記憶部
４５  通信手段
【図１】
2005010256.tif 000003
【図２】
2005010256.tif 000004
【図３】
2005010256.tif 000005
【図４】
2005010256.tif 000006
【図５】
2005010256.tif 000007
【図６】
2005010256.tif 000008
【図７】
2005010256.tif 000009
【図８】
2005010256.tif 000010